(57)【要約】【課題】  ロータリ真空包装機中心のロータリバルブと、このロータリバルブの周囲耐圧チャンバーとをホースで連結し、前記ホースの撓み特性を利用して各蓋材の上下への開閉運動を容易化しているが、同ホースの内容積が大きく空気吸引能率が低下し、また同ホースは差圧に順応して収縮するので、配管内に付着する酸素分子を強制排除しにくい。【解決手段】  一端をロータリバルブに連結する直管２６の他端に連結した硬質の外管３３と、耐圧チャンバーの蓋材１２に固定した硬質の内管３４とを伸縮自在にオーバラツプして管容積を縮小する。耐圧チャンバーの開閉に対応して、配管は伸縮自在であり、真空ポン７０により直管２６内に真空を作用させた場合、両管の間に形成される間隙３５に配置した断面U字型からなるゴム製２重シール壁４０は、空気漏れを阻止する。【選択図】  図１
2006103704.tif 000002
【特許請求の範囲】
【請求項１】
縦軸ロータリバルブの周囲の円軌道を等間隔で公転する多数の定盤と蓋材とによりそれぞれ耐圧チャンバーを形成し、前記各蓋材を支えるアームを支持ピンによりロータに枢支する共に、前記支持ピンを支点に前記各蓋材を前記各定盤の上に開放するタイプの真空包装機であって、前記ロータリバルブの各切換えポートから突き出る分岐ポット側面に、硬質のL型管の開放端が前記蓋材に向かって上下に回転するように支持する一方、前記蓋材から突き出る硬質の直管と前記L型管の開放端とを伸縮自在にオーバラップすると共に、前記オーバラップの間隙に、断面U字型からなるゴム製２重シール壁を設置した装置。
【請求項２】
オーバラップ部における外管の周面に、軸方向の多数の平行溝を形成し、該管に作用する差圧でもって収縮する前記平行溝部分で同外管を、前記オーバラップ部分の内管周面に圧着する請求項１に記載の装置。
【請求項３】
オーバラップ部の２重シール壁における空気接触側を覆うカバー壁を配置し、該カバー壁内において内管に、前記カバー壁内とを繋ぐ連通路を形成した請求項２に記載の装置。
【請求項４】
カバー壁を、外管外面とスライド自在な状態に内管に固定した、筒状体により形成した請求項３に記載の装置。
【請求項５】
カバー壁を、外管と内管との間に、伸縮自在な状態に設置したベローズからなる請求項３に記載の装置。
【発明の詳細な説明】
【技術分野】
【０００１】
本発明は、ロータリ真空包装機における包装装用耐圧チャンバーと、前記耐圧チャンバーに真空を作用させる配管の菅継ぎ手に関する。
【背景技術】
【０００２】
縦軸ロータ型の真空包装機の中には、前記縦軸を中心とする円軌道で多数の定盤を等間隔で公転させる一方、前記各定盤の上域にそれぞれ蓋材を配置し、等間隔に所定数の耐圧チャンバーを構成するものがある。つまり前記各耐圧チヤンバーは、前記円軌道を１公転する間に、内部に配置した開封包装体の周囲に真空環境を形成すると共に、前記包装体の袋口を密封したあと、前記各蓋材の開放と同時に、完全にシールした前記真空包装体を順次、チャンバー外に排除する構造である。
【０００３】
従って、前記円軌道中心に配置するロータリバルブと、このロータリバルブの周囲つまり前記円軌道の、前記各蓋材との間をホースで連結し、前記ホースの撓み特性を利用して各蓋材の上下への開閉運動を容易化しているが、ホースをたわみ可能に放物線状に配置すると、それだけ同ホースの内容積が大きくなって空気吸引能率が低下するし、また弾力特性のあるホースは差圧が発生すると、その差圧に順応して収縮する特性があるので、配管内に付着する酸素分子を強制排除しにくいという欠点がある。
【０００４】
【特許文献１】特開昭６３−０００２５
【発明の開示】
【０００５】
本発明は、縦軸ロータリバルブの周囲の円軌道を等間隔で公転する多数の定盤と蓋材とによりそれぞれ耐圧チャンバーを形成し、前記各蓋材を支えるアームを支持ピンによりロータに枢支する共に、前記支持ピンを支点に前記各蓋材を前記各定盤の上に開放するタイプの真空包装機であって、前記ロータリバルブの各切換えポートから突き出る分岐ポット側面に、L型管の開放端が前記蓋材に向かって上下に回転するように支持する一方、前記蓋材から突き出る直管と前記L型管の開放端とを伸縮自在にオーバラップすると共に、前記オーバラップの間隙に、断面U 字型からなるゴム製２重シール壁を設置して前記の欠点を解消する。
【実施例１】
【０００６】
図２に部分的に示すロータリ真空包装機は、メイン軸受け１０に支持するロータ１１に、蓋材１２から突き出るアーム１３の端を、ピン１４を介して支持し、補助軸受け１５にスライド自在に支持するロッド１６が、前記ロータ１１の回転でレール１７の隆起抵抗を受けることにより、前記のアーム１３及び蓋材１２は前記ピン１４を軸に上下動する。
【０００７】
歯車により形成する前記ロータ１１は、エンドレスチェン１８に等間隔に支持した定盤１９を無端軌道に沿って運搬し、同ロータ１１の周縁で各定盤１９と各蓋材１２とを順次重ね合わせて耐圧チャンバー２０を形成する。
【０００８】
２基の真空ポンプと繋がる２本の吸引管２１，２２は、ロータリバルブ２３の上部固定盤２４と繋がり、仮に８個の耐圧チャンバー２０を備える包装機の場合は、回転盤２５は同数のポートを蓮根穴のように備え、この回転盤２５における８個のポートと、前記各蓋材１２とをそれぞれ硬質の直管２６を介して連結する。結果的に前記ロータリバルブ２３の切換えにより、前記の各耐圧チャンバー２０内には順次、真空圧と大気圧圧とが所定の領域で交互に作用する。
【０００９】
ロッド１６の突き上げ作用により、ピン１４を軸として上方に回転する蓋材１２の回転半径に比較して、回転盤２５における８個のポートから垂下する分岐ポット３０に、図３のごとくリングパッキン３１を介して支持した硬質L型管２６の、中心線３９を軸とする回転半径はより大きく、この回転半径の誤差に関係なく耐圧チャンバー２０を正常に回転させるため、前記直管２６はオーバラップ部が下記のごとく伸縮自在である。
【００１０】
すなわち図１に示すごとく、前記直管２６の端に連結した外管３３と、前記蓋材１２に固定した内管３４とはオーバラツプし、この両管の間に形成される間隙３５に、断面U字型からなるゴム製２重シール壁４０（図４参照）を設置すると共に、該シール壁４０の一端をバンド３６でもって前記内管３４に固定する一方、同シール壁４０の他端を外管３３の端にビス３７でもって気密に固定する。ロータリバルブ２３を介して真空ポン７０により直管２６内に真空を作用させた場合、前記の２重シール壁４０は直管２６への空気漏れを阻止する。
【００１１】
図５のごとく蓋材１２の、前記した回転上昇運動で定盤から離反して耐圧チャンバーを開放するとき、内管３４は外管３３内に押し込まれて収縮し、この場合２重シール壁４０の長さは同じように収縮して間隙３５への空気流入を阻止する。
【実施例２】
【００１２】
図１において、内管３４の端に形成するスライド隔壁３８と、外管３３の内面とのクリアランスから、前記間隙３５の空気は排除されるため、２重シール壁４０の内外間に発生する差圧により、同２重シール壁４０の疲労度が高まる懸念がある。
そこで図６は、外管３３の周面に、軸方向の多数の平行溝４１を形成した。結果的に前記平行溝４１の形成により外管３３は部分的に撓りやすくなり、図７のごとく外圧４２は前記外管３３を、内管３４におけるスライド隔壁３８に密着させ、図６における間隙３５の空気流出阻止、また同空気流出を遅延させる期待が生ずる。
【実施例３】
【００１３】
図８は、外管３３の端に形成したスライド隔壁４３と、ゴム製の逆止膜４４とを、内管３４の外面に固定した円筒カバー壁４５内面に接触させる一方、同内管３４内部と、前記カバー壁４５内部の気密空間４６との間に針穴状の連通路４７を形成し、既に説明した間隙３５と、前記気密空間４６との間の圧力バランスを図る構成である。
【実施例４】
【００１４】
図９は、外管３３と内管３４との間に、伸縮自在にベローズにより形成するカバー壁５０を設置する一方、前記カバー壁５０内部の気密空間４６と前記内管３４内との間に針穴状の連通路４７を形成し、既に説明したように間隙３５と、前記空間４６との間の圧力バランスを図る構成である。
【図面の簡単な説明】
【００１５】
【図１】配管オーバラップ部の断面図
【図２】真空包装機の部分的側面図
【図３】ロータリバルブの一部を下側から見る平面図
【図４】２重シール壁を部分的に断面した斜視図
【図５】配管オーバラップ部を収縮した断面図
【図６】他の実施例による配管オーバラップ部の断面図
【図７】前図におけるVII−VII線矢視線図
【図８】他の実施例による配管オーバラップ部の断面図
【図９】他の実施例による配管オーバラップ部の断面図
【符号の説明】
【００１６】
１１…ロータ
１２…蓋材
１３…アーム
１４…支持ピン
１９…定盤
２０…耐圧チャンバー
２３…ロータリバルブ
２６…直管
３０…分岐ポット
３３…外管
３４…内管
３５…オーバラップ部の間隙
４０…２重シール壁
４１…平行溝
４５…筒状カバー壁
４７…連通路
５０…ベローズ製のカバー壁
【図１】
2006103704.tif 000003
【図２】
2006103704.tif 000004
【図３】
2006103704.tif 000005
【図４】
2006103704.tif 000006
【図５】
2006103704.tif 000007
【図６】
2006103704.tif 000008
【図７】
2006103704.tif 000009
【図８】
2006103704.tif 000010
【図９】
2006103704.tif 000011